(57)【要約】【課題】堆肥の散布方向を容易に変えることができ、又、散布装置の真横方向への散布も可能な堆肥散布装置を提供する。【解決手段】水平回転する複数の散布翼４の下面に接近する水平板７を設け、該水平板７は、散布翼４回転軸６を中心に水平回動可能に構成し、水平板７から一体的に立設の、散布翼４回転軌跡外周縁４ａに沿う形状の案内板８を設けるとともに、案内板８には堆肥３の散布開口部Ａを設け、この散布開口部Ａの方向を変更することにより、機体後方、及び機体左右方向への堆肥散布を可能にする。【選択図】        図１
2004298144.tif 000002
【特許請求の範囲】
【請求項１】
荷箱（１）下方に設ける散布装置（２）上に堆肥（３）を落下させ、該散布装置（２）に軸支した水平回転可能な複数の散布翼（４）によって機体（５）の前方、又は後方への堆肥散布を行う堆肥散布車において、前記散布翼（４）下面に平行接近させた水平板（７）を設け、該水平板（７）に散布翼（４）の回転軌跡外周縁（４ａ）に沿った形状の、一部開口部（Ａ）を有する円弧状案内板（８）を立設するとともに、前記案内板（８）を、該散布翼（４）の回転軸（６）中心に水平回動自在に構成し、該案内板（８）の開口部（Ａ）の方向を少なくとも左右９０度の範囲変更可能にしてなる堆肥散布装置。
【発明の詳細な説明】
【０００１】
【発明の属する技術分野】
本発明は、自走又は牽引される堆肥散布車に関し、荷箱の後端下方に設けた散布装置上に堆肥を落下させ、堆肥を散布する堆肥散布装置に関するものである。
【０００２】
【従来の技術】
【特許文献１】特開平５−３０８０６号公報
荷箱の後下方に設けた左右一対の水平回転可能な散布装置の周辺部に交換自在な案内板を設け、この案内板によって堆肥の散布幅や散布方向、散布密度を変更可能にした技術が記載されている。
この案内板は散布羽根周囲に固定したものであり、散布方向を変更するためには各々の散布方向に応じた案内板の交換が必要なため散布作業途中に散布幅や散布方向を変更することがわずらわしいものであった。
【特許文献２】実公平７−５１８５０号公報
又、特許文献２には、荷箱の後下方に設けた左右一対の水平回転可能な散布装置の回転方向の選択切換えにより、堆肥の散布状態を、広幅散布、狭幅散布、右片側散布、左片側散布の各態様を選択できる技術が記載されている。
この技術は、堆肥を左側に放出させようとするときには、右側の側板に誘導部材を取付け、右側に堆肥を放出させようとするときには左側の側板に誘導部材を取付ける構成であり、特許文献１と同様に誘導部材を散布方向に応じて左右に付け替えなければならないものであった。
すなわち、特許文献１及び特許文献２に記載の技術は、一定量で荷箱の開口部から広範囲に飛散している堆肥を側方、又は中央で規制案内することにより散布幅や散布方向を変える技術であり、散布装置の真横方向への散布は行うことはできず、例えば果樹列間を走行しながら散布する場合、木の株元への散布が不十分なものとなっていた。
【０００３】
【発明が解決しようとする課題】
本発明は、堆肥の散布方向を容易に変えることができ、又、散布装置の真横方向への散布が可能な堆肥散布装置を提供することを課題とする。
【０００４】
【課題を解決するための手段】
荷箱１下方に設ける散布装置２上に堆肥３を落下させ、該散布装置２に軸支した水平回転可能な複数の散布翼４によって機体５の前方、又は後方への堆肥散布を行う堆肥散布車において、前記散布翼４下面に平行接近させた水平板７を設け、該水平板７に散布翼４の回転軌跡外周縁４ａに沿った形状の、一部開口部Ａを有する円弧状案内板８を立設するとともに、前記案内板８を該散布翼４の回転軸６中心に水平回動自在に構成し、該案内板８の開口部Ａの方向を少なくとも左右９０度の範囲変更可能にしてなる堆肥散布装置とする。
【０００５】
【発明の作用及び効果】
荷箱１下方に設ける散布装置２上に堆肥３を落下させ、該散布装置２に軸支した水平回転可能な複数の散布翼４によって、機体５の前方、又は後方への堆肥散布を行う堆肥散布車において、前記散布翼４下面に平行接近させた水平板７を設け、該水平板７に散布翼４の回転軌跡外周縁４ａに沿った形状の、一部開口部Ａを有する円弧状案内板８を立設してあるので、水平回転する散布翼４の下方に落下する堆肥は水平板７で受けることができるとともに、案内板８が散布翼４の回転軸６中心に水平回動自在であるので、簡単な構造で開口部Ａから散布する堆肥の散布方向を案内板８の交換をすることなく容易に変更することができる。又、案内板８の開口部Ａの方向を少なくとも左右９０度の範囲変更可能にしてあるので散布装置２の真横方向への散布が可能であり、果樹等の株元部に堆肥散布を行う場合には果樹列間での走行に応じて散布方向を容易に変更することができ、作業形態に応じた効率の良い散布が可能である。更に、散布した堆肥を走行装置が踏むことなく散布作業を行うことも可能である。
【０００６】
【発明の実施の形態】
次に、本発明の実施の形態を図面に基づいて説明する。図１に記載の堆肥散布車は、自走式の散布車を示し、前側フレーム１０に作業者が散布作業操作や走行操作を行うことのできる操作部１１と原動機１２とを搭載し、その後方には、底面をコンベアベルト１３で構成して後方への堆肥送り出しが可能の荷箱１を設けてある。荷箱１下方には、前記原動機１２からトランスミッション３０を介して駆動される左右一対の走行装置１４を設け、該走行装置１４は前方の駆動スプロケット１５と後方のテンション転輪１６及び複数の接地転輪１７にクローラベルト１８を巻き掛けた形態としてある。荷箱１後下方には、コンベアベルト１３を上面が後方へ微速駆動することで荷箱１から落下する堆肥３を広範囲に散布する散布装置２を設けてある。１９は作業者が座るシートであり、その前方の２０は操向操作用のサイドクラッチレバーである。荷箱１上部後方では、左右に横架した横ビータ２１の上方乃至前方をカバー２２で覆い、堆肥３が周囲に飛散しないよう構成してある。
【０００７】
本発明の散布装置２の構成は図２に示すように、原動機１２の駆動が荷箱１の左右片側一側に設けた伝動機構（図示せず）を介して散布装置２の入力軸２５に入力され、ベベルギヤ２６，２７を介して回転軸６に伝動する。回転軸６上端部には散布翼４をボルト２８で取着し、入力軸２５に入力された駆動が散布翼４の水平方向回転を行い、本実施例においては散布翼４を時計回りに回転させるようにしてある。散布翼４下側には、散布翼４下面に接近する水平板７を設けてあり、この水平板７から一体的に立設した案内板８を設けてある。このため案内板８の構造が簡単であるとともに、水平板７から一体的に立設した案内板８の回動負荷が少なく、又、回動部分に堆肥が詰まり回動不良を起こす等の不具合もない。該案内板８は、散布翼４の回転軌跡外周縁４ａに沿う散布翼４高さよりも高い形状とし、水平板７と案内板８は回転軸６を中心として一体的に水平方向への回動が可能である。案内板８には一部開口部Ａを設け、回転する散布翼４により散布する堆肥３の散布角度を一定角度に規制してある。水平板７の下面中央には、ギヤ２３を取着し、このギヤ２３に嵌合するギヤ２４はモータＭにより駆動してあり、水平板７が回転軸６を中心に回動可能にしてある。モータＭは正逆回転が可能で、開口部Ａを任意の方向に向けることができる。
【０００８】
次に散布形態について図３、図４、図５を参照に説明する。図３に示すのは、荷箱１後端下方に単一の散布装置２を用いた例である。案内板８の開口部Ａから放出される堆肥は時計回りで回転している散布翼４によってＣの範囲に散布される。この状態からモータＭを駆動させて開口部Ａを機体５の右方向、又は左方向に向けることにより、堆肥の散布方向がＲの範囲、又はＬの範囲となる。このように、堆肥の散布角度は一定のまま、散布方向を容易に変更することができ、作業形態に応じた効率の良い堆肥散布を行うことができる。
【０００９】
図４、図５に示すのは、本発明の散布装置２を左右一対に並設したものである。左右の散布装置２，２中央に設けた分岐板２９は、中央部に落下する堆肥を左右各々の案内板８内方へ振り分けて案内する作用をし、その他の構成は図３に示す散布装置２の構成と同様であり、各々の案内板８が水平板７と一体的に回動自在である。すなわち、左右の散布装置２は開口部Ａの方向を各々変更可能であり、一対の散布装置２の散布方向を変えることによって、狭幅散布Ｄから広幅散布Ｅまでの散布幅調整が可能である。又、例えば図４の右側開口部ＡＲから散布される外方散布ラインＳＲを機体５進行方向と略平行になるよう案内板８を回動させ、左側開口部ＡＬから散布される堆肥をやや機体５左側方向に散布するようにすれば、機体５左側寄りへの散布作業を行うことも可能である。
更に、図５に示すように左右開口部ＡＬ，ＡＲを機体外方の真横方向に向ければ、左右両側方向への散布が可能であり、この散布形態では機体を前後に走行させた場合にも地上に散布した堆肥を走行装置１４が踏むことなく、様々な散布形態での散布作業が可能である。
尚、本発明は、作業者が機体５に乗って作業を行う乗用型の散布車に限定するものではなく、歩行型の散布車に用いた場合においても同様の効果を発揮できるものである。
【図面の簡単な説明】
【図１】全体の一部側断面図。
【図２】要部の斜視図。
【図３】散布状態を示す平面図。
【図４】散布状態を示す平面図。
【図５】散布状態を示す平面図。
【符号の説明】
１    荷箱
２    散布装置
３    堆肥
４    散布翼
５    機体
６    回転軸
７    水平板
８    案内板
４ａ    外周縁
Ａ    開口部
【図１】
2004298144.tif 000003
【図２】
2004298144.tif 000004
【図３】
2004298144.tif 000005
【図４】
2004298144.tif 000006
【図５】
2004298144.tif 000007